(57)【要約】【課題】ワイヤハーネスとの摩擦や異音の発生を防止して高品質感を得ることができる配索装置を提供する。【解決手段】配索装置１０は、移動体に接続されるワイヤハーネス１２０と、ワイヤハーネス１２０をＵ字状に折り返した状態で移動体の移動方向に延在させて収容するケース１１と、移動体に接続されるワイヤハーネス１２０の一端を保持しかつ移動体とともに移動されるスライダ１３と、ワイヤハーネス１２０のスライダ１３に保持された一端から折り返し部までの部位に添えられて移動体の移動方向に沿って前後移動可能にケース１１に支持されたワイヤハーネス支持部材１２と、を備え、スライダ１３は、ケース１１に係合してスライダ１３の移動に伴い回転される第１の回転子２１と、第１の回転子２１とともに回転される第１の回転子２１より小径の第２の回転子２２と、を有し、第２の回転子２２は、ワイヤハーネス支持部材１２に係合し、ワイヤハーネス支持部材１２上を滑ることなく転動する。【選択図】図１
2008279928.tif 000002
【特許請求の範囲】
【請求項１】
所定の方向に沿って前後移動される移動体に接続されるワイヤハーネスをＵ字状に折り返した状態で前記移動体の移動方向に延在させて収容するケースと、
前記移動体に接続される前記ワイヤハーネスの一端を保持しかつ当該移動体とともに移動されるスライダと、
前記ワイヤハーネスの前記スライダに保持された一端から折り返し部までの部位に添えられて前記移動体の移動方向に沿って前後移動可能に前記ケースに支持されたワイヤハーネス支持部材と、
を備え、
前記スライダは、前記ケースに係合して当該スライダの移動に伴い回転される第１の回転子と、当該第１の回転子とともに回転される当該第１の回転子より小径の第２の回転子と、を有し、
前記第２の回転子は、前記ワイヤハーネス支持部材に係合し、当該ワイヤハーネス支持部材上を滑ることなく転動することを特徴とする配索装置。
【請求項２】
前記第２の回転子がギアであり、
前記ワイヤハーネス支持部材の前記第２の回転子との係合部にラックが設けられていることを特徴とする請求項１に記載の配索装置。
【請求項３】
前記第１の回転子の径と前記第２の回転子の径との比が２：１であることを特徴とする請求項１または請求項２に記載の配索装置。
【発明の詳細な説明】
【技術分野】
【０００１】
本発明は、例えば車両のフロアに組み付けられるシートやコンソールボックス等の移動体とフロアとの間にワイヤハーネスを配策する配索装置に関する。
【背景技術】
【０００２】
従来の配索装置の一例を図６に示す。図６に示す配索装置１００は、ワイヤハーネス１０１をＵ字状に折り返して収容するケース１０２と、ワイヤハーネス１０１の一端を保持したスライダ１０３と、ワイヤハーネス１０１に添えられたハーネス支持部材１０４とを備えている。ハーネス支持部材１０４は、スライダ１０３の移動方向と同方向にスライド移動自在にケース１０２に支持されている。そして、ハーネス支持部材１０４は、ワイヤハーネス１０１の折り返し部１０１ａに摺動自在に係合している一対のガイド板１０５，１０６およびスライダ１０３に保持された一端から折り返し部１０１ａまでのワイヤハーネス１０１の直線状の部位１０１ｂに添えられた支持板１０７を有している。
【０００３】
スライダ１０３は、シートやコンソールボックス等の移動体とともに移動され、ワイヤハーネス１０１を押し引きし、それに伴い、ワイヤハーネス１０１は、その折り返し部１０１ａを前後させるように変形する。ハーネス支持部材１０４は、一対のガイド板１０５、１０６の間を摺動するワイヤハーネス１０１の折り返し部１０１ａによりガイド板１０５、１０６を押圧されてワイヤハーネス１０１の変形に追従するように前後移動される。ワイヤハーネス１０１は、折り返し部１０１ａを前後させる変形の間も、ハーネス支持部材１０４によってＵ字状の形態に安定に支持されており、それにより、ケース１０２内でのワイヤハーネス１０１の座屈が防止されている（例えば、特許文献１参照）。
【０００４】
【特許文献１】特開２００６−７４９８０号公報
【発明の開示】
【発明が解決しようとする課題】
【０００５】
ところが、上記特許文献１では、折り返し部１０１ａを前後させるワイヤハーネス１０１の変形に追従させてハーネス支持部材１０４を前後移動させるにあたり、ワイヤハーネス１０１の折り返し部１０１ａをガイド板１０５、１０６に摺動させ、この折り返し部１０１ａでガイド板１０５、１０６を押圧してハーネス支持部材１０４を移動させている。そのため、ワイヤハーネス１０１の摩擦や、摺動に伴う異音が発生する虞がある。
【０００６】
本発明は、上述した事情に鑑みてなされたものであり、その目的は、摩擦や異音の発生を防止してスライド移動される移動体にワイヤハーネスを接続することができる配索装置を提供することにある。
【課題を解決するための手段】
【０００７】
上記目的は、本発明に係る下記（１）〜（３）の配索装置により達成される。
【０００８】
（１）所定の方向に沿って前後移動される移動体に接続されるワイヤハーネスと、
前記ワイヤハーネスをＵ字状に折り返した状態で前記移動体の移動方向に延在させて収容するケースと、前記移動体に接続される前記ワイヤハーネスの一端を保持しかつ当該移動体とともに移動されるスライダと、前記ワイヤハーネスの前記スライダに保持された一端から折り返し部までの部位に添えられて前記移動体の移動方向に沿って前後移動可能に前記ケースに支持されたワイヤハーネス支持部材と、を備え、前記スライダは、前記ケースに係合して当該スライダの移動に伴い回転される第１の回転子と、当該第１の回転子とともに回転される当該第１の回転子より小径の第２の回転子と、を有し、前記第２の回転子は、前記ワイヤハーネス支持部材に係合し、当該ワイヤハーネス支持部材上を滑ることなく転動することを特徴とする配索装置。
（２）前記第２の回転子がギアであり、前記ワイヤハーネス支持部材の前記第２の回転子との係合部にラックが設けられていることを特徴とする上記（１）に記載の配索装置。
（３）前記第１の回転子の径と前記第２の回転子の径との比が２：１であることを特徴とする上記（１）または上記（２）に記載の配索装置。
【発明の効果】
【０００９】
本発明によれば、移動体とともにスライダが移動され、スライダに一端を保持されたワイヤハーネスは、折り返し部を前後させるように変形する。それにより、ワイヤハーネスのスライダに保持された一端から折り返し部までの部位の位置および長さが変化する。具体的には、スライダが折り返し部に向けて移動されると、その部位の長さは短くなり、その部位はケース内をスライダの移動方向に移動する。スライダが移動されると、第１の回転子が回転し、第１の回転子とともに第２の回転子が回転する。第１の回転子より小径の第２の回転子は、ワイヤハーネス支持部材上を滑ることなく転動し、スライダに対してワイヤハーネス支持部材をスライダの移動方向とは反対方向に移動させるが、その移動量はスライダの移動量に比して小さいので、ケースに対してワイヤハーネス支持部材を引きずるようにしてスライダの移動方向に移動させる。それにより、従来のようにワイヤハーネス支持部材をワイヤハーネスで押し引きして受動的に移動させることを行わずに、スライダの移動に伴いスライダに保持された一端から折り返し部までの部位の位置および長さを上述のように変化させるワイヤハーネスの変形に対応してワイヤハーネス支持部材を能動的に移動させ、ワイヤハーネスのスライダに保持された一端から折り返し部までの部位を適切に支持することができる。このように、ワイヤハーネス支持部材を移動させるにあたって、ワイヤハーネス支持部材を押圧するようにワイヤハーネスを摺動させる必要がないので、ワイヤハーネスの摩耗が防止され、また、異音の発生を防止することができる。
【００１０】
また、第２の回転子がギアであり、ワイヤハーネス支持部材の第２の回転子との係合部にラックが設けられることで、ワイヤハーネス支持部材上で第２の回転子に滑りを生ずることなく転動させることができる。
【００１１】
また、Ｕ字状に折り返されたワイヤハーネスのスライダに保持された一端から折り返し部までの部位の位置および長さの変化量がスライダの移動量の半分となることから、第１の回転子の径と第２の回転子の径との比は２：１が好ましい。
【発明を実施するための最良の形態】
【００１２】
以下、図を参照して本発明の好適な実施形態を説明する。
【００１３】
図１は本発明の配索装置の一実施形態であって、ケースの一部を破断して示す平面図、図２は図１の配索装置の要部斜視図、図３は図１のIII−III線断面図、図４および図５は図１の配索装置の動作を説明する平面図である。なお、以下の説明において、前、後、左、右は、車体の方向に準じて記載するものとし、図１中の左後方が車体の前方である。
【００１４】
図１〜図３に示すように、本実施形態の配索装置１０は、ケース１１と、ワイヤハーネス支持部材１２と、スライダ１３と、を備え、シートやコンソールボックス等の不図示の移動体と不図示のフロアとの間にワイヤハーネス１２０を配策する。
【００１５】
ケース１１は、上ケース１４と、下ケース１５と、からなり、下ケース１５の底板１６には、ラックである下ケース側歯部１７が形成されている。
【００１６】
ワイヤハーネス支持部材１２は、一対のワイヤハーネス直線ガイド部１８，１９を備えているとともに、ラックであるワイヤハーネス支持部材側歯部２０を備えている。ワイヤハーネス支持部材１２は、下ケース１５の底板１６上をスライド移動自在にケース１１に収容されている。
【００１７】
スライダ１３は、第１の回転子である大径歯車２１と、この大径歯車２１に一体構造の第２の回転子である小径歯車２２と、が歯車支持部２３に回転自在に支持されており、ワイヤハーネス結束部２４にフロア面に沿って結束されたワイヤハーネス１２０をワイヤハーネス導出部２５から上方に向けて導出させている。スライダ１３は、移動体に連結される。
【００１８】
ケース１１は、下ケース１５の上方開放部に上ケース１４が被着されており、上ケース１４は、その長さ方向である前後方向に、スライダ１３のワイヤハーネス導出部２５に対応した上ケースワイヤハーネス導出孔２６が形成されている。
【００１９】
下ケース１５の下ケース側歯部１７は、下ケース１５の長さ方向である前後方向に長く形成されている。また、下ケース１５は、中央部の左方側に下ケースワイヤハーネス導出孔２７が形成されている。
【００２０】
ワイヤハーネス支持部材１２は、ケース１１の長さのほぼ半分の長さに形成されて、ワイヤハーネス直線ガイド部１８，１９のそれぞれにワイヤハーネス曲線ガイド部２８，２９が連設されており、ワイヤハーネス曲線ガイド部２８，２９のそれぞれの端部が下ケース１５の下ケースワイヤハーネス導出部２７に対向配置されている。ワイヤハーネス支持部材側歯部２０は、ワイヤハーネス直線ガイド部１８，１９に平行にしてワイヤハーネス直線ガイド部１８，１９と同等の長さに形成されている。
【００２１】
ワイヤハーネス直線ガイド部１８，１９の間と、ワイヤハーネス曲線ガイド部２８，２９の間とには、スライダ１３のワイヤハーネス結束部２４から引き出されたワイヤハーネス１２０が収容されており、ワイヤハーネス１２０のフロア側が下ケースワイヤハーネス導出孔２７からフロア側に引き出されている。ワイヤハーネス支持部材１２は、下ケース１５の下ケース側歯部１７上をケース１１の前後方向に移動自在である。
【００２２】
スライダ１３は、大径歯車２１と小径歯車２２とが枢軸３０に回転自在に支持されている。大径歯車２１の直径と、小径歯車２２の直径との比は、２：１に設定されており、大径歯車２１が下ケース１５の下ケース側歯部１７に、小径歯車２２がワイヤハーネス支持部材１２のワイヤハーネス支持部材側歯部２０に、それぞれ噛み合っている。
【００２３】
そのため、スライダ１３が後方に向けて移動する際に、大径歯車２１が下ケース側歯部１７に噛み合いながら回転され、大径歯車２１とともに小径歯車２２が回転される。このとき、大径歯車２１より小径の小径歯車２２は、ワイヤハーネス支持部材側歯部２０に噛み合いながら回転するために、ワイヤハーネス支持部材１２上を滑ることなく転動し、スライダ１３に対してワイヤハーネス支持部材１２をスライダ１３の移動方向とは反対方向に移動させるが、その移動量はスライダ１３の移動量に比して小さいので、ケース１１に対してワイヤハーネス支持部材１２を引きずるようにしてスライダ１３の移動方向に移動させる。
【００２４】
このような配索装置１０は、ケース１１がフロア上に固定され、上ケース１４の上ケースワイヤハーネス導出孔２６から導出されているワイヤハーネス１２０の一端部が移動体に内装されている移動体ワイヤハーネスに電気的に接続され、下ケース１５の下ケースワイヤハーネス導出孔２７から導出されているワイヤハーネス１２０の他端部がフロアワイヤハーネスに電気的に接続される。
【００２５】
移動体が最前位置にあるとき、図１を参照して、スライダ１３は最前位置Ａ１にあり、ワイヤハーネス支持部材１２は位置Ｂ１にある。移動体が後方へ移動を始めることで、スライダ１３は、大径歯車２１が下ケース側歯部１７に噛み合いながら移動体とともに後方へスライド移動を始め、スライダ１３の後方移動に伴って、ワイヤハーネス支持部材側歯部２０が小径歯車２２に噛み合っているワイヤハーネス支持部材１２も後方へ移動を始める。このとき、ワイヤハーネス１２０は、直線部１２１がワイヤハーネス直線ガイド部１８，１９に支持されて移動され、折り返し部１２２がワイヤハーネス曲線ガイド部２８，２９に支持されて移動されるために、捩れや弛みを起こすことなくスムースに移動される。
【００２６】
図４に示すように、スライダ１３が位置Ａ２まで後方移動される際に、スライダ１３の移動量に対する半分の移動量でもってワイヤハーネス支持部材１２が位置Ｂ２まで引きずられるようにして後方移動されていく。このとき、ワイヤハーネス１２０は、スライダ１３のワイヤハーネス結束部２４がワイヤハーネス支持部材１２のワイヤハーネス曲線ガイド部２８，２９に近づくために、ワイヤハーネス直線ガイド部１８，１９に支持される直線部１２１が短くなりながら、折り返し部１２２がワイヤハーネス曲線ガイド部２８，２９に支持されて移動される。
【００２７】
図５に示すように、スライダ１３の後方移動が続き、スライダ１３の移動量に対する半分の移動量でもって後方移動を続けてきたワイヤハーネス支持部材１２は、スライダ１３が最後位置Ａ３に到達することで位置Ｂ３まで後方移動される。このとき、ワイヤハーネス１２０は、スライダ１３のワイヤハーネス結束部２４がワイヤハーネス支持部材１２のワイヤハーネス曲線ガイド部２８，２９に最も近づくために、ワイヤハーネス直線ガイド部１８，１９に支持される直線部１２１が最短となり、折り返し部１２２がワイヤハーネス曲線ガイド部２８，２９に支持されて移動される。
【００２８】
上記とは逆に、最後位置にある移動体が最前位置に向けて移動を始めると、上記とは逆方向にして、最後位置Ａ３にあるスライダ１３が最前位置Ａ１に向けて戻り移動され、スライダ１３のスライド移動に同期して半分の移動量でもってワイヤハーネス支持部材１２が位置Ｂ１まで戻り移動されることとなる。
【００２９】
以上説明したように、本実施形態の配索装置１０によれば、移動体とともにスライダ１３が移動され、スライダ１３のワイヤハーネス結束部２４に保持されたワイヤハーネス１２０は、折り返し部１２２を前後させるように変形する。それにより、ワイヤハーネス１２０のスライダ１３に保持された一端から折り返し部１２２までの部位の位置および長さが変化する。つまりは、スライダ１３が折り返し部１２２に向けて移動されると、その部位の長さは短くなり、その部位はケース１１内をスライダ１３の移動方向に移動する。スライダ１３が移動されると、大径歯車２１が下ケース側歯部１７に噛み合いながら回転し、大径歯車２１とともに小径歯車２２が回転する。大径歯車２１より小径の小径歯車２２は、ワイヤハーネス支持部材側歯部２０に噛み合いながらワイヤハーネス支持部材１２上を滑ることなく転動し、スライダ１３に対してワイヤハーネス支持部材１２をスライダ１３の移動方向とは反対方向に移動させるが、その移動量はスライダ１３の移動量に比して小さいので、ケース１１に対してワイヤハーネス支持部材１２を引きずるようにしてスライダ１３の移動方向に移動させる。それにより、従来のようにワイヤハーネス支持部材をワイヤハーネスで押し引きして受動的に移動させることを行わずに、スライダ１３の移動に伴いスライダ１３に保持された一端から折り返し部１２２までの部位の位置および長さを上述のように変化させるワイヤハーネス１２０の変形に対応してワイヤハーネス支持部材１２を能動的に移動させ、ワイヤハーネス１２０のスライダ１３に保持された一端から折り返し部１２２までの部位を適切に支持することができる。このように、ワイヤハーネス支持部材１２を移動させるにあたって、ワイヤハーネス支持部材を押圧するようにワイヤハーネスを摺動させる必要がないので、ワイヤハーネス１２０の摩耗が防止され、また、異音の発生を防止することができる。
【００３０】
また、配索装置１０によれば、小径歯車２２とワイヤハーネス支持部材１２のワイヤハーネス支持部材側歯部２０との組み合わせにより、ワイヤハーネス支持部材１２上で小径歯車２２に滑りを生ずることなく転動させることができる。
【００３１】
また、配索装置１０によれば、Ｕ字状に折り返されたワイヤハーネス１２０のスライダ１３に保持された一端から折り返し部１２２までの部位の位置および長さの変化量がスライダ１３の移動量の半分となることから、大径歯車２１の直径と小径歯車２２の直径との比は２：１が好ましい。
【００３２】
尚、本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【００３３】
例えば、大径歯車及び小径歯車のうちの大径歯車は、歯部を有するギアに代えて、プーリーやゴム製回転体等の下ケースの底板に摩擦を有して滑りを生ずることなく回転されるものであってもよく、その場合には、下ケース側歯部を形成する必要がなくなる。
【００３４】
また、大径歯車及び小径歯車は、図示した平歯車に代えて、はすば歯車を適用しても良い。もちろん、その場合は、下ケース側歯部及びワイヤハーネス支持部材側歯部が、予め定められた歯先角を有するはすばのラック状に形成される。
【００３５】
さらに、大径歯車と小径歯車との直径の比は、上記した２：１に限らず、その比を適宜変更することによって、スライダに対するワイヤハーネス支持部材の移動量を設定することができる。
【図面の簡単な説明】
【００３６】
【図１】本発明の配索装置の一実施形態であって、ケースの一部を破断して示す平面図である。
【図２】図１の配索装置の要部斜視図である。
【図３】図１のIII−III線断面図である。
【図４】図１の配索装置の動作を説明する平面図である。
【図５】図１の配索装置の動作を説明する平面図である。
【図６】従来の配索装置の概略図である。
【符号の説明】
【００３７】
１０    配索装置
１１    ケース
１２    ワイヤハーネス支持部材
１３    スライダ
２０    ワイヤハーネス支持部材側歯部（ラック）
２１    大径歯車（第１の回転子）
２２    小径歯車（第２の回転子）
１２０  ワイヤハーネス
１２２  折り返し部
【図１】
2008279928.tif 000003
【図２】
2008279928.tif 000004
【図３】
2008279928.tif 000005
【図４】
2008279928.tif 000006
【図５】
2008279928.tif 000007
【図６】
2008279928.tif 000008